(57)【特許請求の範囲】
【請求項１】
保険管理サーバを備える保険管理システムであって、
前記保険管理サーバは、
顧客又は顧客の関係者を含む利用者からの所定の額の入金を所定の期間に渡って受け付ける受付部と、
前記受付部で受け付けた前記利用者の前記入金の累積が第一の条件を満たす場合、前記顧客の特定の細胞の作製依頼を特定の細胞の作製を管理する細胞管理サーバに送信する作製依頼送信部と、
前記受付部で受け付けた前記入金の累積が、第一の条件よりも額が大きい又は期間が長い条件である第二の条件を満たす場合、前記顧客の特定の細胞の利用依頼を前記細胞管理サーバに送信する利用依頼送信部と、
を有する、管理システム。
【請求項２】
前記細胞管理サーバは、
前記保険管理サーバから作製依頼又は前記利用依頼を受信する受信部と、
前記受信部において前記作製依頼を受信したことに応じて、前記顧客の特定の細胞の作製開始日を決定する決定部と、
前記作製開始日における前記顧客の前記特定の細胞の作製を管理する管理部と、
前記受信部において前記利用依頼を受信したことに応じて、作製済みの前記顧客の特定の細胞を利用する許可を出力する出力部と
を有する、請求項１記載の管理システム。
【請求項３】
前記特定の細胞は、ｉＰＳ細胞又はｉＰＳ細胞に由来する細胞を含む、請求項１又は２記載の管理システム。
【請求項４】
前記第一の条件及び前記第二の条件は、前記顧客の性別、人種、生活地域、血液型、生活習慣、既往歴、遺伝型、年齢、又は前記顧客の家族の既往歴の少なくとも１つ以上に応じて異なる、請求項１から３のいずれか一項に記載の管理システム。
【請求項５】
前記第一の条件及び前記第二の条件は、前記顧客から採取した体細胞及び前記体細胞の採取に用いた血液のうちの少なくとも一方の検査結果に応じて異なる、請求項１から４のいずれか一項に記載の管理システム。
【請求項６】
前記保険管理サーバは、
前記検査結果に基づく変更可能な条件を前記顧客の端末に通知する第一の通知部と、
前記顧客の端末からの指示に基づいて前記第一の条件及び前記第二の条件の少なくとも一方を変更する第一の変更部と
をさらに有する、請求項５に記載の管理システム。
【請求項７】
前記第二の条件は、前記作製済みの前記顧客の特定の細胞及び前記特定の細胞の作製に用いた培養液のうちの少なくとも一方の検査結果に応じて異なる、請求項２に記載の管理システム。
【請求項８】
前記保険管理サーバは、
前記特定の細胞の検査結果に基づく変更可能な条件を前記顧客の端末に通知する第二の通知部と、
前記顧客の端末からの指示に基づいて前記第二の条件を変更する
第二の変更部と
をさらに有する、請求項７に記載の管理システム。
【請求項９】
前記第二の通知部による通知の要否を、前記顧客の端末から設定することができる、請求項８に記載の管理システム。
【請求項１０】
前記保険管理サーバは、前記受付部で受け付けた前記利用者の前記入金の状況を前記利用者の端末に送信する入金状況送信部をさらに有する、請求項１から９のいずれか一項に記載の管理システム。
【請求項１１】
前記受付部は、前記利用者からの作製申込みをさらに受け付け、
前記保険管理サーバは、前記受け付けた作製申込みに応じて決定される第一の条件を満たす予定日と前記第二の条件を満たす予定日とを前記細胞管理サーバに送信する第一の予定日送信部をさらに有し、
前記細胞管理サーバの前記受信部は、送信される前記予定日をさらに受信し、
前記細胞管理サーバは、前記受信した予定日に基づいて前記顧客の特定の細胞の作製予定日及び利用予定日を記録する記録部をさらに有する、請求項２に記載の管理システム。
【請求項１２】
前記細胞管理サーバは、前記記録部に記録された前記作製予定日及び前記利用予定日を、作製済みの前記顧客の特定の細胞の検査結果又は前記顧客の病状に応じて変更する第四の変更部をさらに有する、請求項１１に記載の管理システム。
【請求項１３】
前記細胞管理サーバは、前記記録部に記録されている前記顧客の特定の細胞の作製予定日及び利用予定日を前記利用者の端末に送信する第二の予定日送信部をさらに有する、請求項１１または１２に記載の管理システム。
【請求項１４】
前記保険管理サーバは、前記受付部で受け付けた前記利用者の累積した入金の少なくとも一部を、前記利用者とは異なる第二の利用者の口座に移管する移管処理部をさらに有する、請求項１から１３のいずれか一項に記載の管理システム。
【請求項１５】
前記保険管理サーバの前記利用依頼送信部は、前記第二の条件を満たし、かつ、前記特定の細胞の利用要求を前記利用者の端末から受信した場合に、前記利用依頼を前記細胞管理サーバに送信するように構成され、
前記保険管理サーバは、前記特定の細胞の利用要求を前記利用者の端末から受信しない場合、前記入金された額の少なくとも一部を返金する処理を行う返金処理部をさらに有する請求項１から１４のいずれか一項に記載の管理システム。
【請求項１６】
前記保険管理サーバは、前記顧客である第一の顧客の細胞の検査結果と、前記第一の顧客とは異なる第三の顧客の作製済みの特定の細胞の検査結果とに応じて前記第一の顧客及び前記第三の顧客のうちの少なくとも一方に対する、前記第一の条件及び第二の条件のうちの少なくとも一方を変更する第三の変更部をさらに有する、請求項１から１５のいずれか一項に記載の管理システム。
【請求項１７】
前記保険管理サーバは、前記第一の顧客が、前記第一の顧客とは異なる第三の顧客の作製中又は作製済みの細胞を利用できる場合において、前記第三の顧客が前記第二の条件を満たしているとき、前記第一の顧客に関する入金のうちの少なくとも一部を前記第三の顧客に関連する口座に出金する出金処理部をさらに有する、請求項１６に記載の管理システム。
【請求項１８】
保険管理サーバを備える管理システムにおける方法であって、
前記保険管理サーバは、
顧客又は顧客の関係者を含む利用者からの所定の額の入金を所定の期間に渡って受け付けるステップと、
前記受け付けた前記利用者の前記入金の累積が第一の条件を満たす場合、前記顧客の特定の細胞の作製依頼を特定の細胞の作製を管理する細胞管理サーバに送信するステップと、
前記受け付けた前記入金の累積が、第一の条件よりも額が大きい又は期間が長い条件である第二の条件を満たす場合、前記顧客の特定の細胞の利用依頼を前記細胞管理サーバに送信するステップと、
を実行する、方法。
【請求項１９】
前記細胞管理サーバは、
前記保険管理サーバから作製依頼又は前記利用依頼を受信するステップと、
前記作製依頼を受信したことに応じて、前記顧客の特定の細胞の作製開始日を決定するステップと、
前記作製開始日における前記顧客の前記特定の細胞の作製を管理するステップと、
前記利用依頼を受信したことに応じて、作製済みの前記顧客の特定の細胞を利用する許可を出力するステップと
を実行する、請求項１８に記載の方法。
【発明の詳細な説明】
【技術分野】
【０００１】
本発明は、保険管理システム及びその方法に関する。
【背景技術】
【０００２】
近年、再生医療において、健康なＨＬＡ（Human Leukocyte Antigen：ヒト白血球型抗原）ホモ接合体のドナーから血液を採取し、京都大学ｉＰＳ細胞研究所でｉＰＳ細胞（人工多能性幹細胞）を作製するとともに保管する、ｉＰＳ細胞ストックプロジェクトが進展している。【０００３】
特許文献１には、各種の保険契約の積立金額を計算するシステムが開示されている。
【先行技術文献】
【特許文献】
【０００４】
【特許文献１】特開２００３−１５７３５８号公報
【発明の概要】
【発明が解決しようとする課題】
【０００５】
臨床用ｉＰＳ細胞は非常に綺麗に保たれたクリーンルームで作製、保存される必要がある。このため、ｉＰＳ細胞を作製するには高額のコストが必要となる。そこで、費用を確実に徴収して、計画的にｉＰＳ細胞の作製が行われるシステムの構築が求められている。一態様として、例えば特許文献１に記載の保険契約のように積立を行うことが想定される。しかしながら、単にｉＰＳ細胞を作製するために必要な額を定期的に入金するだけでは、多様化するニーズに応えることができない。例えば、ｉＰＳ細胞を作製し、その作製済みのｉＰＳ細胞を検査することにより、実際にｉＰＳ細胞を利用する可能性が高いことがはじめて判明することがある。このため、様々なケースに応じた柔軟な保険管理システムの構築が求められている。
【課題を解決するための手段】
【０００６】
本発明の一態様に係る保険管理システムは、保険管理サーバを備える保険管理システムであって、保険管理サーバは、顧客またはその関係者を含む利用者からの所定の額の入金を所定の期間に渡って受け付ける受付部と、受付部で受け付けた利用者の入金の累積が第一の条件を満たす場合、顧客の特定の細胞の作製依頼を特定の細胞の作製を管理する細胞管理サーバに送信する作製依頼送信部と、受付部で受け付けた入金の累積が、第一の条件よりも額が大きい又は期間が長い条件である第二の条件を満たす場合、顧客の特定の細胞の利用依頼を細胞管理サーバに送信する利用依頼送信部と、を有する。【０００７】
細胞管理サーバは、保険管理サーバから作製依頼又は利用依頼を受信する受信部と、受信部において作製依頼を受信したことに応じて、顧客の特定の細胞の作製開始日を決定する決定部と、作製開始日における顧客の特定の細胞の作製を管理する管理部と、受信部において利用依頼を受信したことに応じて、作製済みの顧客の特定の細胞を利用する許可を出力する出力部とを有する。【０００８】
保険管理サーバと、細胞管理サーバと、は、別個のサーバであってもよいし、一つのサーバ内で実現されていてもよい。【０００９】
特定の細胞とは、例えば、ｉＰＳ細胞又はｉＰＳ細胞に由来する細胞（以下、ｉＰＳ細胞とｉＰＳ細胞に由来する細胞をまとめて「ｉＰＳ細胞等」という。）である。この場合、細胞管理サーバは、ｉＰＳ細胞等の作製を管理するｉＰＳ管理サーバと呼ばれる場合がある。【００１０】
このような態様によれば、第二の条件を満たす場合にｉＰＳ細胞等の利用が許可される態様において、第二の条件よりも額が小さい又は期間が短い第一の条件を満たす場合にｉＰＳ細胞等の作製が開始される。これにより、ｉＰＳ細胞等を利用する場合には、ｉＰＳ細胞等の作製に要する費用が回収できることを保証することができる。またｉＰＳ細胞等の作製に要する費用が積み立てられていない場合であっても、先行してｉＰＳ細胞等の作製を行うことにより、その作製されたｉＰＳ細胞等の検査結果に応じた様々なケースに対する柔軟な保険システムを提供することができる。
【発明の効果】
【００１１】
本発明によれば、ｉＰＳ細胞等の特定の細胞の作製に要する費用を回収することができ、かつ様々なケースに応じた柔軟な保険システムを提供することができる。
【図面の簡単な説明】
【００１２】
【図１】保険管理システムを含む概略構成図である。
【図２】顧客端末、保険管理サーバ及びｉＰＳ管理サーバの各構成の一例を示すブロック図である。
【図３】ｉＰＳ細胞の作製の申込みが行われた場合の処理シーケンスの一例を示す図である。
【図４】図３の処理シーケンスで用いられる情報の一例を示す図である。
【図５】体細胞の検査結果を保険管理サーバが取得する場合の処理シーケンスの一例を示す図である。
【図６】図５の処理シーケンスで用いられる情報の一例を示す図である。
【図７】第一の条件が満たされた場合の処理シーケンスの一例を示す図である。
【図８】図７の処理シーケンスで用いられる情報の一例を示す図である。
【図９】第二の条件が満たされた場合の処理シーケンスの一例を示す図である。
【図１０】顧客端末、保険管理サーバ及びｉＰＳ管理サーバの各構成の一例を示すブロック図である。
【図１１】顧客の検査結果が一致したことが判明した場合の処理シーケンスの一例を示す図である。
【図１２】顧客の検査結果が一致したことが判明した場合の処理シーケンスの他の例を示す図である。
【発明を実施するための形態】
【００１３】
添付図面を参照して、本発明の好適な実施形態について説明する。なお、各図において、同一の符号を付したものは、同一又は同様の構成を有する。
【００１４】
［第１実施形態］
［概要］
本実施形態における保険管理システムは、ｉＰＳ細胞の作製費用に関する積立を行う保険管理サーバを備える。
【００１５】
ｉＰＳ細胞を作製するためには多額のコストが生じる。また、ｉＰＳ細胞を作製するには時間がかかる。さらには、ｉＰＳ細胞が必要となる事態（例えばｉＰＳ細胞を用いた再生医療が必要な事態）にいつ直面するかは予め予測できるものではない。ｉＰＳ細胞が必要となった状況に実際に直面した場合に、ｉＰＳ細胞を作製するための費用がない、あるいは、ｉＰＳ細胞を作製するための設備の空きがない、等の現象が生じてしまう恐れがある。そこで、本実施形態においては、例えば、１０年、２０年後等のように将来的にｉＰＳ細胞が必要になる状態に備えて、費用の積立が保険管理サーバで行われる。そして、積立が満額に達した場合には、ｉＰＳ細胞の利用が可能となる形態を採用する。積立の額や期間等は、ｉＰＳ細胞を利用しようとする顧客の病歴等や、ｉＰＳ細胞を作製する基となる細胞の検査結果に応じて異ならせることができる。また、積立が満額に達する前の段階において、すなわち積立が、満額未満の所定の条件に達した場合において、ｉＰＳ細胞の作製を開始することができる。そして、このような作製済みのｉＰＳ細胞の検査結果に応じて、その後の積立の額や期間等を異ならせることができる。なお、積立は、ｉＰＳ細胞を作製又は利用しようとする顧客本人が積み立ててもよいし、ｉＰＳ細胞を作製又は利用しようとする顧客の関係者が積み立ててもよい。例えば、子供や孫などがｉＰＳ細胞を作製し利用できるようにするために、親や祖父母が積立を行うものとしてもよい。
【００１６】
図１は、本実施形態に係る保険管理システムを含む全体の概略図である。まず、本実施形態で行われる保険の積立とｉＰＳ細胞バンキングとの関連性の例を説明する。ここで説明する形態は概略的な例の一つであり、この例に限られるものではない。図１の例では、顧客１０が、将来的に利用する可能性があるｉＰＳ細胞の作製の申込みを行い、所定の額の入金を所定の期間に渡って行う。そして、入金の累積が第一の条件を満たす場合（例えば積立てた額が積立予定額の半額に達した場合）に、ｉＰＳ細胞の作製が行われる。さらに積立が行われ、入金の累積が第一の条件よりも額が大きい又は期間が長い条件である第二の条件を満たす場合（例えば積立てた額が積立予定額に達した場合）に、作製済みのｉＰＳ細胞の利用が許可される。なお、ここでは積立の形態を例に挙げ、顧客個人が月々で積立てた額の累計が第一の条件を満たす場合、あるいは、第二の条件を満たす場合の処理を説明する。しかしながら、これに限られるものではない。例えば、共済の掛け金のように複数人の掛け金をプールしておき、第一の条件を満たす場合（例えば所定の年齢に達するまでの期間に渡って支払を行った場合）に、ｉＰＳ細胞の作製が行われる等のような形態であってもよい。
【００１７】
顧客１０は、顧客端末１００を用いて保険管理サーバ２００に対してｉＰＳ細胞の作製申込みを行う。なお、顧客１０は、電話、ファクシミリ、電子メール、依頼書の送付等の各種の申込み手段を用いて作製申込みを行ってもよい。その後、顧客端末１００には、保険管理サーバ２００から利用可能な積立額や積立期間等が通知される。顧客端末１００は、顧客１０からの指示に応じて積立額や積立期間を決定し、決定した内容を保険管理サーバ２００に対して送信する。その後、決定された内容に従って積立が行われる。顧客１０からのｉＰＳ細胞の作製申込みは、保険管理サーバ２００からｉＰＳ管理サーバ３００に送信されてもよいし、顧客端末１００からｉＰＳ管理サーバ３００に送信される形態でもよい。
【００１８】
ｉＰＳ管理サーバ３００は、採取機関４０において顧客１０のｉＰＳ細胞を作製するための原料となる血液細胞や皮膚細胞等の体細胞の採取を行うスケジューリングをする。
【００１９】
採取機関４０は、ｉＰＳ管理サーバ３００で決定されたスケジュールに従って顧客１０の体細胞を採取する。採取機関４０は、顧客１０から体細胞を採取可能な病院、献血所及びその他の機関を含む。採取機関４０で採取された体細胞又は体細胞の採取に用いた血液（以下、「体細胞等」という。）は、適切に温度管理された状態で体細胞等保管所５０に運ばれる。体細胞等保管所５０に運ばれた体細胞等は、所定の時期に検査機関７０において検査が行われる。検査機関７０は、体細胞等を検査可能な医療機関、研究機関及びその他の機関を含む。検査機関７０における検査結果は、保険管理サーバ２００及びｉＰＳ管理サーバ３００に送られる。
【００２０】
保険管理サーバ２００は、体細胞等の検査結果（すなわち、体細胞又は体細胞の採取に用いた血液のうちの少なくとも一方の検査結果）に基づいて積立の変更可能な条件を顧客１０に通知する。そして、顧客１０からの応答に応じて保険管理サーバ２００は、顧客１０の積立の条件を変更する。例えば、体細胞等の検査の結果、ｉＰＳ細胞を利用する可能性が高いと判定される場合、積立額をそれまでの設定よりも高くし、積立期間を短くするような変更が行われる。例えば、パーキンソン病、アルツハイマー、リュウマチ等のように、ｉＰＳ細胞医療によって将来治る可能性のある病気の原因遺伝子が判明しつつある。このような原因遺伝子を有する顧客１０には、将来利用する可能性が高い旨を伝えるとともに、利用可能性が高いことに対応する積立の条件を通知することができる。
【００２１】
保険管理サーバ２００は、顧客１０の積立の管理を行う。積立は、例えば１０年、２０年といったような長期的なスパンで行われる。このようにして積み立てた額が第一の条件を満たす場合（例えば積立てた額が積立予定額の半額に達した場合）、保険管理サーバ２００は、ｉＰＳ管理サーバ３００に顧客１０のｉＰＳ細胞の作製依頼を送信する。この作製依頼を受けたｉＰＳ管理サーバ３００は、体細胞等保管所５０に凍結保管されている顧客１０の体細胞等をｉＰＳ細胞作製所３０に運ぶスケジューリングを行う。
【００２２】
ｉＰＳ細胞作製所３０においては、運ばれた顧客１０の体細胞等に基づく顧客１０のｉＰＳ細胞の作製が行われる。ｉＰＳ細胞作製所３０は、ｉＰＳ細胞を作成可能な専用装置であることが好ましいが、これに限られず、ｉＰＳ細胞を作製可能な医療機関、研究機関及びその他の作製機関を含む。ここで、ｉＰＳ細胞を作成可能な専用装置とは、ｉＰＳ細胞の誘導、培養、保存及び記録のうち少なくとも１つ以上、好ましくは２以上を、閉鎖された空間で人手を介することなく行うことのできる装置をいう。本実施形態においてｉＰＳ管理サーバ３００は、ｉＰＳ細胞作製所３０に設置されている形態を例に挙げているが、必ずしもｉＰＳ細胞作製所３０に設置されていなくてよい。ｉＰＳ細胞作製所３０は、採取された体細胞に誘導因子を導入して、ｉＰＳ細胞を作製するとともに、作製されたｉＰＳ細胞の品質試験（分化誘導能検査、遺伝子変異検査、及び真菌・細菌・ウイルス検査等）を実施して、規格適合済ｉＰＳ細胞を作製する。このようにして作製されたｉＰＳ細胞は、適切に温度管理された状態でｉＰＳ細胞保管所６０に運ばれ、保管される。なお、本実施形態においては、ｉＰＳ細胞の作製を例に挙げて説明するが、ｉＰＳ細胞作製所３０において、ｉＰＳ細胞に由来する細胞、その他の特定の細胞を作製してもよい。
【００２３】
ｉＰＳ細胞保管所６０に運ばれたｉＰＳ細胞又はｉＰＳ細胞の作製に用いた培養液は、所定の時期に検査機関７０において検査が行われる。検査機関７０における検査結果は、保険管理サーバ２００及びｉＰＳ管理サーバ３００に送られる。保険管理サーバ２００は、ｉＰＳ細胞の検査結果に基づいて積立の変更可能な条件を顧客１０に通知する。そして、顧客１０からの応答に応じて積立の条件を変更する。例えば、ｉＰＳ細胞の検査の結果、ｉＰＳ細胞を利用する可能性が高いと判定される場合、積立額をそれまでの設定よりも高くし、積立期間を短くするような変更が行われる。
【００２４】
保険管理サーバ２００は、引き続き、顧客１０の積立の管理を行う。このようにして積み立てた額が第二の条件を満たす場合（例えば積立てた額が積立予定額に達した場合）、保険管理サーバ２００は、ｉＰＳ管理サーバ３００に顧客１０のｉＰＳ細胞の利用依頼を送信する。この利用依頼を受けたｉＰＳ管理サーバ３００は、ｉＰＳ細胞保管所６０に保管されている顧客１０のｉＰＳ細胞を利用機関８０に運ぶスケジューリングを行う。利用機関８０は、提供されたｉＰＳ細胞を分化誘導して、角膜、心筋、肝臓その他の移植組織細胞を作製するとともに、作製された組織細胞を、顧客１０を含む患者等の再生医療又は臨床研究に利用する。
【００２５】
このような形態において、積立の額や期間等を、ｉＰＳ細胞を実際に利用する可能性に応じて異ならせる例を以下で説明する。なお、図１の例においては、各機関等を別個に設けている形態を例に挙げて説明したが、同一機関で複数の機能が実行されてもよい。例えば、検査機関７０及び利用機関８０を同一の機関としてもよいし、体細胞等保管所５０とｉＰＳ細胞保管所６０とを同一の保管所としてもよい。
【００２６】
［ブロック図］
図２は、顧客端末１００、保険管理サーバ２００及びｉＰＳ管理サーバ３００の各構成の一例を示すブロック図である。
【００２７】
［顧客端末の構成］
顧客端末１００は、顧客１０が用いる端末であり、入力部１０１、表示部１０２及び通信部１０３を有する。顧客端末１００は、例えばパーソナルコンピュータ、スマートフォン、タブレット端末等の各種の電子機器である。
【００２８】
入力部１０１は、顧客１０からの指示の入力を行う。例えば顧客１０から積立の額の指定の入力を受け付けることができる。
【００２９】
表示部１０２は、各種の情報の表示を行うディスプレイである。入力部１０１と表示部１０２とが一体となったタッチパネルディスプレイを採用してもよい。例えば、表示部１０２は、保険管理サーバ２００から送信される、変更可能な積立額や積立期間を表示する。
【００３０】
通信部１０３は、ネットワーク９０を介して他の装置等と通信を行う通信インタフェースである。例えば通信部１０３は、保険管理サーバ２００及びｉＰＳ管理サーバと通信する。
【００３１】
［保険管理サーバの構成］
保険管理サーバ２００は、受付部２０１、作製依頼送信部２０２、利用依頼送信部２０３、第一の通知部２０４、第一の変更部２０５、第二の通知部２０６、第二の変更部２０７、入金状況送信部２０８、第一の予定日送信部２０９、移管処理部２１０及び返金処理部２１１を有する。
【００３２】
保険管理サーバ２００は、不図示のＣＰＵ（Central Processing Unit）、ＲＡＭ（Random Access Memory）及びフラッシュメモリ又はＨＤＤ（Hard Disc Drive）をそれぞれが備える情報処理装置を用いることができる。そして、フラッシュメモリ又はＨＤＤ等に格納されたプログラムが一時的にＲＡＭに読み出され、ＣＰＵが、ＲＡＭに読み出されたプログラムを実行することで、保険管理サーバ２００のＣＰＵが、図２に示す保険管理サーバ２００の各部として機能することができる。なお、図２に示す保険管理サーバ２００の各部のうちの少なくとも一部は、複数の情報処理装置による分散処理によって実現されてよい。また、情報処理装置は、図示しないクラウドサーバなどからダウンロードしたプログラムに従って処理を実行してもよい。図２は構成の一例を示したものに過ぎず、他の構成を含んでもよい。また、図２に記載された構成の全てが必須の要件であるとは限らない。
【００３３】
受付部２０１は、顧客１０からの所定の額の入金を所定の期間に渡って受け付ける。ｉＰＳ細胞の作製に要する費用が５００万円であると仮定すると、ｉＰＳ細胞を利用するために例えば月に２万円の額の積立を２５０カ月に渡って受け付ける等のような入金の受け付けを行う。受付部２０１は、顧客１０の口座からの引き落とし処理を行う構成でもよいし、振込処理の結果等を受け付ける構成でもよい。
【００３４】
作製依頼送信部２０２は、受付部２０１で受け付けた顧客１０の入金の累積が第一の条件を満たす場合、顧客１０のｉＰＳ細胞の作製依頼をｉＰＳ管理サーバ３００に送信する。第一の条件を満たす場合とは、例えば積立金の累計額が所定額の場合、あるいは、掛け金の支払い期間が所定期間となった場合等である。仮にｉＰＳ細胞の作製に要する費用が５００万円であると仮定した場合、第一の条件は、その半額の２５０万円の積立金の累計額となった場合とすることができる。つまり、保険管理サーバ２００は、ｉＳＰ細胞の作製に要する費用が全て積立られていない段階において、先行してｉＰＳ細胞の作製を行う依頼をｉＰＳ管理サーバ３００に送信することになる。なお、第一の条件として、入金の累計がｉＰＳ細胞の作製に要する費用の半額に達した場合を例に挙げたが、これに限られるものではない。ｉＰＳ細胞の作製に要する費用が全て積み立てられた場合を第二の条件とすると、第一の条件は、この第二の条件よりも低い任意の額または短い期間の条件を設定することができる。
【００３５】
なお、第一の条件を満たす場合にｉＰＳ細胞の作製依頼をｉＰＳ管理サーバ３００に送信する処理を行う理由は次の通りである。すなわち、ｉＰＳ細胞を作製し、その作製したｉＰＳ細胞のゲノムシーケンスを検査したり、作製したｉＰＳ細胞を用いた病態スクリーニングモデルを用いた細胞テスト（細胞を使用した病気になりやすさをスクリーニングするテスト）の結果等のように、ｉＰＳ細胞やｉＰＳ細胞の作製に用いた培養液の検査結果に応じて、ｉＰＳ細胞を利用する可能性が変わる場合があるからである。例えばｉＰＳ細胞を利用する可能性が高い顧客（つまり、ｉＰＳ細胞の検査結果、病気になりやすいことが判明した顧客等）は、ｉＰＳ細胞を利用する可能性が高いので、従前よりも積立の額を高くして、積立期間を短くすることでｉＰＳ細胞を早期に利用させることが好ましいからである。つまり、ｉＰＳ細胞の作製費用を回収するために積立を行うものの、その作製費用が全て積み立てられていない段階で先にｉＰＳ細胞の作製を行わせる。作製されたｉＰＳ細胞を実際に利用する際には、残りの額の積立が必要となるが、このとき、作製されたｉＰＳ細胞やｉＰＳ細胞の作製に用いた培養液の検査結果に基づいて、残りの積立の月々の額や積立期間の変更を可能にする。このような処理によれば、ｉＰＳ細胞を利用する可能性が高い顧客に対して早期の積立を促すことができる。
【００３６】
なお、後述する第２実施形態で説明するように、ｉＰＳ細胞のゲノムシーケンスが類似する顧客同士では、共通のｉＰＳ細胞を利用することが可能である。このため、ｉＰＳ細胞の作製費用の全てが積み立てられていない段階において先にｉＰＳ細胞を作製し、その作製済みのｉＰＳ細胞を他の顧客と共用することが可能である場合には、それらの顧客間でその後の積立を共有（例えば折半）させることで、顧客各自の積立に要する額を減らしたり、積立期間を短縮したりすることができる。詳細については、後述する第２実施形態で説明する。
【００３７】
利用依頼送信部２０３は、受付部２０１で受け付けた入金の累積が、第一の条件よりも額が大きい又は期間が長い条件である第二の条件を満たす場合、顧客１０のｉＰＳ細胞の利用依頼をｉＰＳ管理サーバ３００に送信する。第二の条件は、例えば前述のようにｉＰＳ細胞の作製に要する費用に相当する額とすることができる。このような構成にすることで、ｉＰＳ細胞の作製に要する費用の支払いが保証された段階で、ｉＰＳ細胞の利用が行われることになる。
【００３８】
前述した第一の条件及び第二の条件は、顧客個人の情報によって動的に変更可能としてもよい。例えば、ｉＰＳ細胞を作り始める第一の条件は、顧客が健常であれば、積立額が積立予定額の２０％に達したことを条件とするが、顧客の家族に疾患の方がいる場合は、積立額が積立予定額の８０％に達したことを条件としたり、逆に、積立額が積立予定額の５％に達したことを条件としたりしてもよい。なお、顧客個人の情報とは、顧客の性別、人種、生活地域、血液型、生活習慣、既往歴、遺伝型、年齢、又は前記顧客の家族の既往歴のうちの少なくとも１つ以上を含む。ここで、既往歴とは、病院や薬局に行った記録も含まれ得る。例えば、顧客端末１００から保険管理サーバ２００に対してｉＰＳ細胞の作製申込みが行われる。そして、この作製申込みに応じて積立が行われる。このｉＰＳ細胞の作製申込みには、例えば顧客１０の顧客の性別、人種、生活地域、血液型、生活習慣、既往歴、遺伝型、年齢、又は前記顧客の家族の既往歴等の問診情報が含まれる。
【００３９】
保険管理サーバ２００は、顧客１０の問診情報に基づいて、利用可能な積立額や積立期間を顧客端末１００に送信する。例えば、問診情報に基づいて顧客１０を３つのカテゴリに分類することができる。第一のカテゴリは、顧客１０が現在病気を患っている場合に属するカテゴリである。第二のカテゴリは、自身に病歴がある場合や家族に遺伝性の病歴がある場合に属するカテゴリである。第三のカテゴリは第一のカテゴリ及び第二のカテゴリのいずれにも該当せず、健康な状態の場合に属するカテゴリである。この三つのカテゴリのうち、最もｉＰＳ細胞を利用する可能性が高いカテゴリは、第一のカテゴリであり、その次にｉＰＳ細胞を利用する可能性が高いカテゴリは、第二のカテゴリであり、第三のカテゴリがｉＰＳ細胞を利用する可能性が最も低いカテゴリである。第一のカテゴリに属する顧客１０に対しては、ｉＰＳ細胞を利用する可能性が高いので、早期に積立予定額に達するために、他のカテゴリに属する顧客よりも、月々の積立額を高くし、積立期間を短くする必要がある。第二のカテゴリに属する顧客１０に対しては、ｉＰＳ細胞を利用する可能性が第一のカテゴリに属する顧客１０よりも低いので、第一のカテゴリに属する顧客よりも、月々の積立額を低くし、積立期間を長くすることができる。同様に、第三のカテゴリに属する顧客１０に対しては、第二のカテゴリに属する顧客よりも月々の積立額を低くし、積立期間を長くすることができる。このように、保険管理サーバ２００は、顧客１０の問診情報に基づいて、顧客１０が利用可能な積立額や期間を決定する。なお、ここで決定する積立額や期間は、ある程度の範囲（幅）を設けることができる。そして、保険管理サーバ２００は、その決定した範囲を顧客端末１００に送信する。
【００４０】
このような利用可能な積立額や期間の情報を受信した顧客端末１００においては、顧客１０からの指示に応じて、特定の積立額や期間等が決定され、決定された特定の積立額や期間等が保険管理サーバ２００に送信される。保険管理サーバ２００では、このようにして送信された特定の積立額や期間等に応じて、第一の条件及び第二の条件を設定することができる。
【００４１】
また、第一の条件及び第二の条件は、顧客１０から採取した体細胞等の検査結果に応じて異なるものとすることができる。例えば、顧客１０からｉＰＳ細胞の作製依頼があった場合、ｉＰＳ管理サーバ３００が所定のタイミング(例えばウィンドウピリオドを考慮したタイミング)で、採取機関４０での体細胞等の採取のスケジューリングを行う。スケジュールされたタイミングで採取機関４０において、顧客１０の体細胞等の採取が行われる。このように採取された体細胞等が検査機関７０において検査され、検査結果が保険管理サーバ２００に送信される。保険管理サーバ２００は、この検査結果を取得して、利用可能な第一の条件及び第二の条件を変更することができる。前述の問診情報の箇所で説明したように、検査結果に応じてｉＰＳ細胞を利用する可能性が高い顧客から低い顧客まで分類することができる。そして、その分類されたカテゴリで設定可能な積立額等の範囲が顧客端末１００に通知されることになる。
【００４２】
第一の通知部２０４は、前述したように、体細胞等の検査結果に基づく変更可能な条件を顧客端末１００に通知する。
【００４３】
第一の変更部２０５は、顧客端末１００からの指示に基づいて第一の条件及び第二の条件の少なくとも一方を変更する。例えば、体細胞等の検査結果では、ｉＰＳ細胞を利用する可能性が高い顧客であることが判定された場合、従前よりも積立額を高くした変更可能な条件を顧客端末１００に送信する。そして、顧客端末１００は、送信された積立額の範囲内において、特定の積立額の入力を顧客１０から受け付け、その特定の積立額が保険管理サーバ２００に送信される。第一の変更部２０５は、この送信された特定の積立額に従って、第一の条件及び第二の条件の少なくとも一方を変更することができる。例えば第一の条件及び第二の条件の積立額を高く設定し、早期に積立が満了できるように構成することができる。
【００４４】
また、第二の条件は、作製済みの顧客１０のｉＰＳ細胞の検査結果に応じて異なるものとすることができる。前述したように、第一の条件を満たした場合に顧客１０のｉＰＳ細胞の作製が行われる。このように作製されたｉＰＳ細胞が検査機関７０において検査され、検査結果が保険管理サーバ２００に送信される。保険管理サーバ２００は、この検査結果を取得して、利用可能な第二の条件を変更することができる。前述の問診情報の箇所や体細胞を利用する箇所で説明したように、検査結果に応じてｉＰＳ細胞を利用する可能性が高い顧客から低い顧客まで分類することができる。そして、その分類されたカテゴリで設定可能な積立額等の範囲が顧客端末１００に通知されることになる。
【００４５】
第二の通知部２０６は、ｉＰＳ細胞の検査結果に基づく変更可能な条件を顧客端末１００に通知する。なお、例えば、顧客端末１００を介して当該通知の要否を保険管理サーバ２００に設定できるようにしておくことにより、当該通知の要否を、顧客１０が選択できるようにしてもよい。
【００４６】
第二の変更部２０７は、顧客端末１００からの指示に基づいて第二の条件を変更する。例えば、ｉＰＳ細胞の検査結果において、ｉＰＳ細胞を利用する可能性が高い顧客であることが判定された場合、従前よりも積立額を高くした変更可能な条件を顧客端末１００に送信する。そして、顧客端末１００は、送信された積立額の範囲内において、特定の積立額の入力を顧客１０から受け付け、その特定の積立額が保険管理サーバ２００に送信される。第二の変更部２０７は、この送信された特定の積立額に従って、第二の条件を変更する。例えば第二の条件の積立額を高く設定し、早期に積立が満了して、作製済みのｉＰＳ細胞が利用できるように構成することができる。
【００４７】
入金状況送信部２０８は、受付部２０１で受け付けた顧客１０の入金の状況を顧客端末１００に送信する。例えば、入金状況送信部２０８は、顧客１０がこれまで積み立てを行った積立金の累積の積立額、積立開始日、第一の条件を満たす予定日、第二の条件を満たす予定日（積立終了予定日）等を含む入金の状況を送信する。あるいは、掛け金の支払い開始日、掛け金の累計の額、第一の条件を満たす予定日、第二の条件を満たす予定日等を含む入金の状況を送信する。顧客端末１００の表示部１０２は、送信された入金の状況を表示する。入金状況送信部２０８は、定期的に顧客端末１００に入金の状況を送信する形態でもよいし、顧客端末１００からの要求に応じて入金の状況を顧客端末１００に送信する形態でもよい。このように、顧客１０は、自身の積立の状況を適宜確認することができる。
【００４８】
受付部２０１は、顧客１０からの作製開始の申込みをさらに受け付けることができる。
【００４９】
第一の予定日送信部２０９は、受付部２０１で受け付けた作製申込みに応じて決定される第一の条件を満たす予定日と前記第二の条件を満たす予定日とをｉＰＳ管理サーバ３００に送信する。例えば、前述したように、作製申込みには、問診情報が含まれており、問診情報に応じて（必要に応じて顧客端末１００からの指示に基づいて）、第一の条件と第二の条件とが保険管理サーバ２００において決定される。第一の条件と第二の条件とが決定されれば、第一の条件を満たす予定日と第二の条件を満たす予定日とも決定される。第一の予定日送信部２０９は、このような予定日をｉＰＳ管理サーバ３００に送信する。ｉＰＳ管理サーバ３００では、後述するように、予定日を用いてｉＰＳ細胞の作製工程の管理が行われる。
【００５０】
移管処理部２１０は、受付部２０１で受け付けた顧客Ｘの累積した入金の少なくとも一部を、顧客Ｘとは異なる第二の顧客である顧客Ｙの口座に移管する処理を行う。例えば、保険管理サーバ２００は、顧客Ｘの積立口座と顧客Ｙの積立口座とを管理する。あるいは、保険管理サーバ２００は、顧客Ｘの積立口座を管理するサーバと顧客Ｙの積立口座を管理するサーバとの間で通信可能に構成されていてもよい。ここで、顧客Ｙは、ｉＰＳ細胞の作製申込みを行った顧客であってもよいし、未だｉＰＳ細胞の作製申込みを行っていない潜在顧客であってもよい。具体的な例としては、顧客Ｘの積立金が顧客Ｙに相続される場合や、顧客Ｘの積立金が顧客Ｙに譲渡される場合等が挙げられる。また、例えば親である顧客Ｘが積立を行っている途中で亡くなった場合等においては、それまでの積立を子供や親族である顧客Ｙに移管することができる。あるいは、例えば親である顧客Ｙが、子供である顧客Ｘ用に積立を行っている場合において、急遽自身でｉＰＳ細胞を利用する状態に陥った場合には、顧客Ｘ（子供用）として積み立てた額を顧客Ｙ（親）の口座に移管して（合算して）、速やかにｉＰＳ細胞を利用する、という形態を採用してもよい。また、譲渡は無償であってもよいし、有償であってもよい。すなわち、顧客Ｘが積み立てた積立口座を、他人である顧客Ｙに販売する形態でもよい。顧客Ｘが自身の積立金を自由に引き出すことができない環境下において、資金が必要になった場合には、このように積立金が含まられる口座を他人に販売する形態を採用してもよい。
【００５１】
返金処理部２１１は、ｉＰＳ細胞の利用要求を顧客端末１００から受信しない場合、入金された額の少なくとも一部を返金する処理を行う。また、利用依頼送信部２０３は、第二の条件を満たし、かつ、ｉＰＳ細胞の利用要求を顧客端末１００から受信した場合に、利用依頼を前記ｉＰＳ管理サーバ３００に送信するように構成されてもよい。つまり、第二の条件を満たした場合であっても、実際に顧客１０がｉＰＳ細胞を利用するような状況になっていない場合がある。このような場合において、例えば顧客１０が死亡する等して、ｉＰＳ細胞を実際に利用しない場合には、入金された累計の額の少なくとも一部が返金処理される。返金に際しては、保険管理システムの利用料に相当する額を差し引きした額が返金されてもよい。また、積み立てた額のいわゆる利息相当額を付加した額が返金されてもよい。それまでに要した細胞保管料を差し引いた額が返金されてもよい。返金先の口座は、例えば顧客１０の親族の口座等としてもよい。
【００５２】
［ｉＰＳ管理サーバの構成］
次に、ｉＰＳ管理サーバ３００の構成について説明する。ｉＰＳ管理サーバ３００は、受信部３０１、決定部３０２、記録部３０３、管理部３０４、出力部３０５、第四の変更部３０６及び第二の予定日送信部３０７を有する。
【００５３】
ｉＰＳ管理サーバ３００は、不図示のＣＰＵ、ＲＡＭ及びフラッシュメモリ又はＨＤＤをそれぞれが備える情報処理装置を用いることができる。そして、フラッシュメモリ又はＨＤＤ等に格納されたプログラムが一時的にＲＡＭに読み出され、ＣＰＵが、ＲＡＭに読み出されたプログラムを実行することで、ｉＰＳ管理サーバ３００のＣＰＵが、図２に示すｉＰＳ管理サーバ３００の各部として機能することができる。なお、図２に示すｉＰＳ管理サーバ３００の各部のうちの少なくとも一部は、複数の情報処理装置による分散処理によって実現されてよい。また、情報処理装置は、図示しないクラウドサーバなどからダウンロードしたプログラムに従って処理を実行してもよい。図２は構成の一例を示したものに過ぎず、他の構成を含んでもよい。また、図２に記載された構成の全てが必須の要件であるとは限らない。また、保険管理サーバ２００とｉＰＳ管理サーバ３００とは、別箇のサーバであるものとして説明するが、両装置の機能を包含するサーバが用いる形態でもよい。
【００５４】
受信部３０１は、保険管理サーバ２００から作製依頼又は利用依頼を受信する。
【００５５】
決定部３０２は、受信部３０１において作製依頼を受信したことに応じて、顧客１０のｉＰＳ細胞の作製開始日を決定する。例えば、ｉＰＳ管理サーバ３００の記録部３０３は、各顧客のｉＰＳ細胞の作製予定日を記録している。この作製予定日は、積立状況に応じて適宜変更される。保険管理サーバ２００から作製依頼を受信するということは、前述のように、顧客１０の積立が第一の条件を満たしている状態であるので、ｉＰＳの作製を行うことが確定されることになる。したがって、決定部３０２は、ｉＰＳ細胞の作製予定日を作製開始日に変更して確定することになる。本実施形態においては、ｉＰＳ細胞作製所３０では、完全閉鎖系のクリーンな環境下で作製することができる不図示の小型の装置を用いることができる。これにより、自動的に多数のｉＰＳ細胞の作製が可能となっている。決定部３０２は、装置の空き状況に応じて適宜作製開始日を決定することができる。
【００５６】
記録部３０３は、決定部３０２で決定された作製開始日を記録する。
【００５７】
管理部３０４は、ｉＰＳ細胞バンキングを一元管理する。例えば、管理部３０４は、記録部３０３に記録された作製開始日に基づいて、ｉＰＳ細胞作製所３０で行われるｉＰＳ細胞の作製工程を管理する。また、管理部３０４は、ｉＰＳ細胞の作製開始日の他、採取機関４０での採取日、体細胞等保管所５０からｉＰＳ細胞作製所への体細胞の搬送日、ｉＰＳ細胞の作製終了日、作製されたｉＰＳ細胞のｉＰＳ細胞保管所６０への搬送日等の各種の工程日を管理することができ、各機関及び保管所に適宜工程日を通知することができる。
【００５８】
出力部３０５は、受信部３０１において利用依頼を受信したことに応じて、作製済みの顧客１０のｉＰＳ細胞を利用する許可を出力する。作製済みのｉＰＳ細胞は、ｉＰＳ細胞保管所６０にて保管されている。出力部３０５は、ｉＰＳ細胞保管所６０の不図示の管理システム等に対して、顧客１０のｉＰＳ細胞の利用許可を出力する。この利用許可には、ｉＰＳ細胞を利用する利用機関８０の情報や、利用機関８０に搬送する搬送日が含まれてもよい。このような利用許可を受けて、ｉＰＳ細胞保管所６０にて管理されている顧客１０のｉＰＳ細胞が利用機関８０に搬送されて再生医療又は臨床研究に利用されることになる。
【００５９】
また、受信部３０１は、保険管理サーバ２００から送信される第一の条件を満たす予定日と第二の条件を満たす予定日とを受信することが可能であり、記録部３０３は、受信した予定日に基づいて顧客１０のｉＰＳ細胞の作製予定日及び利用予定日をさらに記録することが可能である。
【００６０】
第四の変更部３０６は、記録部３０３に記録された作製予定日及び利用予定日を、顧客１０の作製済みのｉＰＳ細胞の検査結果又は顧客１０の病状に応じて変更することが可能である。例えばｉＰＳ管理サーバ３００は、検査機関７０で行われた顧客１０のｉＰＳ細胞の検査結果を取得したり、顧客１０の病状の情報を取得可能に構成されている。例えば、顧客１０のｉＰＳ細胞の検査結果又は顧客１０の病状の情報から、顧客１０がｉＰＳ細胞を利用する可能性が高いと判定される場合、作製予定日及び利用予定日が早くなるように、予定日を変更する。予定日を変更しておくことでその後の積立によって作製依頼又は利用依頼が保険管理サーバ２００から送信される場合に、早めておいた予定日を、確定日として用いることが可能となる。
【００６１】
第二の予定日送信部３０８は、記録部３０３に記録されている顧客１０のｉＰＳ細胞の作製予定日及び利用予定日を顧客端末１００に送信することが可能である。記録部３０３に記録されている顧客１０のｉＰＳ細胞の作製予定日及び利用予定日は、保険管理サーバ２００の第一の予定日送信部２０９によって送信された予定日であり、また、ｉＰＳ管理サーバ３００の第四の変更部３０６によって変更された予定日である。
【００６２】
［処理シーケンス］
図３は、本実施形態における処理シーケンスの一例を示す図である。図３は、顧客１０が将来的に使用する可能性があるｉＰＳ細胞の作製の申込みを行う場合の処理シーケンスの一例を示す図である。
【００６３】
図４は、図３で示す処理シーケンスにおいて用いられる具体的な情報の一例を示す図である。
【００６４】
ステップＳ３０１において顧客端末１００は、顧客１０のｉＰＳ細胞の作製の申込の依頼を含む申込み情報４０１を送信する。申込み情報４０１には、申込み情報を一意に特定する申込ＩＤ、申込日、顧客１０を一意に示す顧客ＩＤの他、顧客１０の年齢、顧客１０の既往症及び顧客１０の家族の既往症の情報等の問診情報が含まれる。
【００６５】
ステップＳ３０２において、保険管理サーバ２００は、申込み情報４０１に基づいて利用可能な条件を決定する。例えば、ｉＰＳ細胞を作製するために必要な費用を５００万円であると仮定する。また、申込み情報４０１を参照すると、顧客１０は、年齢が２０歳であり、既往症もなく、また、家族の既往症もないので、現時点において、ｉＰＳ細胞を将来利用する可能性は低いと考えられる。一方で、顧客１０によっては、現時点においての必要性は低い場合であっても、有事の際に速やかに利用することが可能となるように、積立のスピードを高めることを要望する顧客もいる。このため、保険管理サーバ２００は、条件４０２に示すように、利用可能な積立額として、月々に積立をする額の利用可能な範囲を広く設定した条件を決定する。ここでは、月々に積立可能な額は、２万円から１０万円までの範囲となっている。
【００６６】
ステップＳ３０３において保険管理サーバ２００は、ステップＳ３０２で決定した利用可能な条件を送信する。
【００６７】
ステップＳ３０４において顧客端末１００は、ステップＳ３０３で送信された利用可能な条件に含まれる、特定の積立額と積立期間とを、顧客１０から入力された指示に基づいて決定する。この例において顧客端末１００は、図４の情報４０３に示すように、積立額として２万円を決定し、積立期間として２５０月を決定したものとする。なお、積立額または積立期間の一方が決定されれば他方は自動的に決定されてよい。
【００６８】
ステップＳ３０５において顧客端末１００は、ステップＳ３０４で決定した積立額と積立期間とを送信する。
【００６９】
ステップＳ３０６において保険管理サーバ２００は、顧客端末１００から送信された積立額と積立期間とに基づいてｉＰＳ細胞の作製予定日と利用予定日とを決定する。作製予定日は、第一の条件に達する予定の日であり、利用予定日は、第二の条件に達する予定の日である。情報４０３の例においては、決定された積立額が２万円であり、決定された積立期間が２５０月である。前述のようにｉＰＳ細胞を作製するために必要な費用を５００万円であるとすると、第二の条件を満たす日は、情報４０４に示すように、２５０月が経過したときとすることができる。また、第二の条件を満たす日は、２５０月の半分の１２５月が経過したときとすることができる。
【００７０】
ステップＳ３０７において保険管理サーバ２００は、決定された作製予定日と利用予定日とを含む情報４０５をｉＰＳ管理サーバ３００に送信する。
【００７１】
ステップＳ３０８においてｉＰＳ管理サーバ３００は、作製予定日と利用予定日とを記録する。ｉＰＳ管理サーバ３００は、複数の顧客の作製予定日等を管理している。積立額が第一の条件を満たす日を予めその顧客のｉＰＳ細胞の作製日として記録（予約）する。これにより、予めｉＰＳ細胞の作製予定日を確保することができる。
【００７２】
なお、図３の例では、顧客端末１００からｉＰＳ細胞の作製申込みの依頼があった場合に、顧客１０の問診情報等を参照して利用可能な条件（例えば、利用可能な範囲内の積立額や期間等）を顧客端末１００に送信し、顧客端末において額と期間とが、その利用可能な範囲内において決定される形態を例に挙げて説明したが、これに限られるものではない。例えば、保険管理サーバ２００が、特定の積立額と積立期間とを決定して顧客端末１００に通知を行い、顧客端末１００が、この特定の積立額と積立期間とを受け入れるか否かを、顧客１０からの指示に基づいて決定する構成であってもよい。
【００７３】
図５は、図３に示した作製申込み処理の処理シーケンスが終了した後の所定のタイミングにおいて行われる処理シーケンスの一例を示す図である。例えば、ｉＰＳ細胞の作製申込みがあった後に、ｉＰＳ管理サーバ３００は、顧客１０の体細胞等を採取する採取機関４０において行われる体細胞等の採取のスケジューリングを行う。そして、スケジュールに従って採取機関４０において顧客１０の体細胞等の採取が行われ、前述のように採取された体細胞等が検査機関７０において検査される。図５は、このようにして検査機関７０において検査が行われた体細胞等の検査結果を保険管理サーバ２００が取得する場合における処理シーケンスの一例を示している。
【００７４】
図６は、図５で示す処理シーケンスにおいて用いられる具体的な情報の一例を示す図である。
【００７５】
ステップＳ５０１において保険管理サーバ２００は、顧客１０の体細胞等の検査結果６０１を取得する。例えば、保険管理サーバ２００は、検査機関７０の不図示の情報処理装置等から検査結果を受信してもよいし、検査機関７０の検査結果を受け取ったｉＰＳ管理サーバ３００からその検査結果を受信してもよいし、紙媒体、記録媒体等を通じて得られる検査結果を読み取ってもよい。
【００７６】
ステップＳ５０２において保険管理サーバ２００は、利用可能な条件を変更する。例えば、体細胞等の検査結果が、ｉＰＳ細胞を利用する可能性が高い検査結果である場合、早期にｉＰＳ細胞を利用することができるように、利用可能な積立額を従前よりも高くなるように設定し、利用可能な積立期間を従前よりも短くになるように設定する。条件６０２は、条件４０２よりも月々に積み立て可能な最低額が高く設定されている例を示している。
【００７７】
ステップＳ５０３において保険管理サーバ２００は、変更された利用可能な条件を顧客端末１００に送信する。
【００７８】
ステップＳ５０４において顧客端末１００は、顧客１０からの指示に基づいて送信された利用可能な条件に含まれる積立額と積立期間とを決定する。例えば情報６０３に含まれているように積立額と積立期間とを決定する。
【００７９】
ステップＳ５０５において顧客端末１００は、決定された積立額と積立期間とを含む情報６０３を保険管理サーバ２００に送信する。
【００８０】
ステップＳ５０６において保険管理サーバ２００は、顧客端末１００から送信される積立額と積立期間とに基づいて作製予定日と利用予定日とを変更する。例えば情報６０４に示すように、従前よりも作製予定日及び利用予定日とが早くなるように変更される。
【００８１】
ステップＳ５０７において保険管理サーバ２００は、変更された作製予定日と利用予定日とを含む情報６０５をｉＰＳ管理サーバ３００に送信する。
【００８２】
ステップＳ５０８においてｉＰＳ管理サーバ３００は、送信された作製予定日と利用予定日とを記録する。
【００８３】
この図５に示す処理は、図３の示す作製申込みに関連する処理の後、直ちに行われてもよいし、所定の期間が経過した後で実行されてもよい。したがって、積立が開始されていてもよく、この場合、作製予定日及び利用予定日等は、既に積立済みの金額や期間等を考慮して決定することができる。
【００８４】
図５に示す処理の後、第一の条件を満たすまで、顧客１０は、設定された積立金を積立て続ける。
【００８５】
図７は、顧客１０による積立が行われ、第一の条件が満たされた場合の処理シーケンスの一例を示す図である。
【００８６】
図８は、図７で示す処理シーケンスにおいて用いられる具体的な情報の一例を示す図である。
【００８７】
ステップＳ７０１において保険管理サーバ２００は、第一の条件が満たされたと判定された場合、例えば、前述したように、ｉＰＳ細胞の作製に要する費用の半額に積立額が達した場合、顧客１０のｉＰＳ細胞の作製依頼をｉＰＳ管理サーバ３００に送信する。
【００８８】
ステップＳ７０２においてｉＰＳ管理サーバ３００は、ｉＰＳ細胞の作製指示を出力する。例えば、ｉＰＳ管理サーバ３００は、前述したように、体細胞等保管所５０に保管されている体細胞等をｉＰＳ細胞作製所３０に搬送するスケジューリングを行う。このスケジュールに従ってｉＰＳ細胞作製所３０に搬送された体細胞等は、ｉＰＳ管理サーバ３００からの指示に従って、所定の作製装置に搬送され、ｉＰＳ細胞の作製が行われる。このようにして作製されたｉＰＳ細胞は、例えばｉＰＳ細胞保管所６０にて保管される。また、検査機関７０によってｉＰＳ細胞の検査が行われる。
【００８９】
ステップＳ７０３において保険管理サーバ２００は、ｉＰＳ細胞の検査結果８０１を取得する。例えば、保険管理サーバ２００は、検査機関７０の不図示の情報処理装置等から検査結果を受信してもよいし、検査機関７０の検査結果を受け取ったｉＰＳ管理サーバ３００からその検査結果を受信してもよいし、紙媒体、記録媒体等を通じて得られる検査結果を読み取ってもよい。
【００９０】
ステップＳ７０４において保険管理サーバ２００は、利用可能な条件を変更する。例えば、ｉＰＳ細胞の検査結果が、ｉＰＳ細胞を利用する可能性が高い検査結果である場合、早期にｉＰＳ細胞を利用することができるように、利用可能な積立額を従前よりも高くなるように設定し、利用可能な積立期間を従前よりも短くになるように設定する。条件８０２は、条件４０２よりも月々に積み立て可能な最低額が高く設定されている例を示している。
【００９１】
ステップＳ７０５において保険管理サーバ２００は、変更された利用可能な条件を顧客端末１００に送信する。
【００９２】
ステップＳ７０６において顧客端末１００は、顧客１０からの指示に基づいて送信された利用可能な条件に含まれる積立額と積立期間とを決定する。例えば情報８０３に含まれているように積立額と積立期間とを決定する。
【００９３】
ステップＳ７０７において顧客端末１００は、決定された積立額と積立期間とを含む情報８０３を保険管理サーバ２００に送信する。
【００９４】
ステップＳ７０８において保険管理サーバ２００は、顧客端末１００から送信される積立額と積立期間とに基づいて利用予定日を変更する。例えば情報８０４に示すように、従前よりも利用予定日が早くなるように変更される。
【００９５】
ステップＳ７０９において保険管理サーバ２００は、変更された利用予定日を含む情報８０５をｉＰＳ管理サーバ３００に送信する。
【００９６】
ステップＳ７１０においてｉＰＳ管理サーバ３００は、送信された利用予定日を記録する。
【００９７】
図７に示す処理の後、第二の条件を満たすまで、顧客１０は、設定された積立金を積立て続ける。
【００９８】
図９は、図７に示す処理の後、顧客１０による積立が行われ、第二の条件が満たされた場合の処理シーケンスの一例を示す図である。
【００９９】
ステップＳ９０１において保険管理サーバ２００は、第二の条件が満たされたと判定された場合、例えば、前述したように、ｉＰＳ細胞の作製に要する費用の額に積立額が達した場合、既に作製済みの顧客１０のｉＰＳ細胞の利用依頼をｉＰＳ管理サーバ３００に送信する。
【０１００】
ステップＳ９０２においてｉＰＳ管理サーバ３００は、作製済みの顧客１０のｉＰＳ細胞の利用許可を出力する。例えば、ｉＰＳ管理サーバ３００は、前述したように、ｉＰＳ細胞保管所６０に保管されているｉＰＳ細胞を利用機関８０に搬送するスケジューリングを行う。このスケジュールに従って利用機関８０に搬送されたｉＰＳ細胞は、利用機関８０において再生医療や又は臨床研究に用いられる。
【０１０１】
以上説明したように、本実施形態によれば、第二の条件を満たす場合にｉＰＳ細胞の利用が許可される態様において、第二の条件よりも額が小さい又は期間が短い第一の条件を満たす場合にｉＰＳ細胞の作製が開始される。これにより、ｉＰＳ細胞を利用する場合には、ｉＰＳ細胞の作製に要する費用が回収できることを保証することができる。またｉＰＳ細胞の作製に要する費用が積み立てられていない場合であっても、先行してｉＰＳ細胞の作製を行うことにより、その作製されたｉＰＳ細胞の検査結果に応じた様々なケースに対する柔軟な保険システムを提供することができる。例えば、保険管理サーバ２００は、作製されたｉＰＳ細胞の検査結果に応じて、第二の条件を変更することが可能となる。このため、ｉＰＳ細胞の検査の結果、再生医療等でｉＰＳ細胞を利用する可能性が高い顧客に対しては、積立のスピードを高めることを提案することができる。また、保険管理サーバ２００は、ｉＰＳ細胞を作製する基となる体細胞等の検査結果に応じて第一の条件及び第二の条件を変更することが可能である。このため、体細胞等の検査の結果、ｉＰＳ細胞を利用する可能性が高い顧客に対しては、積立のスピードを高めることを提案することができる。さらには、顧客の問診情報に応じて、積立する額の幅や期間を変更した内容を提示することも可能であり、顧客は、この提示に応じて、提示された幅の範囲内で自身の希望する額を指定することも可能である。
【０１０２】
このように、本実施形態によれば、ｉＰＳ細胞の作製を希望し、実際にｉＰＳ細胞を利用するまでの間の様々な場面において、多様な積立を行ったり、また、積立のスピードを変化させたりすることが可能である。
【０１０３】
［第２実施形態］
第１実施形態では、顧客１０が自身のｉＰＳ細胞を利用するために積立を行う形態を説明した。そして、入金の累計が第一の条件を満たした場合にｉＰＳ細胞の作製を開始し、入金の累計が第二の条件を満たした場合に作製済みのｉＰＳ細胞の利用の許可が行われる形態を例に挙げて説明した。ここで、似たゲノム情報を有する顧客１０同士であれば、一方が作製中又は作製済みのｉＰＳ細胞を他方が利用することも可能である。したがって、似たゲノム情報を有する顧客１０が協力して積立を行うことも可能である。あるいは、先に積立を行っていた顧客Ｙに対して、後から積立を行おうとする顧客Ｘが差額分を支払うこと等によって、顧客同士が協力するような形態でもよい。例えば、既にｉＰＳ細胞の作製が完了して利用許可の状態の顧客Ｙのゲノム情報と似たゲノム情報を有する、後から積立を開始する顧客Ｘが、既に作製が完了して利用許可状態の顧客Ｙに対して自身の積立金を支払うことによって、使用料相当額が顧客Ｙに支払われるような形態を採用することもできる。
【０１０４】
［ブロック図］
図１０は、顧客端末１００、保険管理サーバ２００及びｉＰＳ管理サーバ３００の各構成の一例を示すブロック図である。図１０に示すブロック図においては、図２に示すブロック図に対して保険管理サーバ２００に第三の変更部１００１と出金処理部１００２とが追加された例を示している。第三の変更部１００１及び出金処理部１００２以外の構成については第１実施形態で説明したものと同様であるため、ここでの説明は省略する。
【０１０５】
第三の変更部１００１は、第一の顧客Ｘの細胞等（体細胞、ｉＰＳ細胞、体細胞の採取に用いた血液、ｉＰＳ細胞の作製に用いた培養液を含む）の検査結果と、第一の顧客Ｘとは異なる第三の顧客Ｙの作製済みのｉＰＳ細胞の検査結果とに応じて第一の顧客Ｘ及び第三の顧客Ｙのうちの少なくとも一方に対する、第一の条件及び第二の条件のうちの少なくとも一方を変更する。ここでは、顧客Ｘの方が顧客ＹよりもｉＰＳ細胞の作製の進行度合いが遅い、あるいは同程度であるものとして説明する。このような場合、顧客Ｘの体細胞等の検査の結果得られる情報と顧客Ｙの体細胞等の検査の結果得られる情報とを比較する態様、顧客Ｘの体細胞等の検査の結果得られる情報と顧客ＹのｉＰＳ細胞の検査の結果得られる情報とを比較する態様、顧客ＸのｉＰＳ細胞の検査の結果得られる情報と顧客ＹのｉＰＳ細胞の検査の結果得られる情報とを比較する態様等、各種の態様が考えられる。
例えば、顧客Ｙの作製済みｉＰＳ細胞が既に存在するような場合、顧客Ｙは、第二の条件に達することができれば、自身のｉＰＳ細胞を利用することが可能となる。一方、第一の条件を満たしていない顧客Ｘは、自身のｉＰＳ細胞の作製がまだ行われていない状態である。ここで、両者のゲノム情報が同じ又は類似し、顧客Ｘが顧客ＹのｉＰＳ細胞を利用することが可能である場合には、両者が共同して積立を行うことができる。したがって、第三の変更部１００１は、それまでの積み立てた金額その他の各種の条件を参照して、第一の条件及び第二の条件を変更することができる。例えば、顧客Ｘに対しては、第一の条件は既に満たしたものとして扱い、第二の条件を変更する。例えば、積立額を従前より高めに設定し、積立期間を従前より短く設定することができる。また、顧客Ｙに対しては、第二の条件として、積立額を従前よりも低めに設定し、積立期間を従前よりも短く設定することができる。なお、このような条件の変更例は一例に過ぎず、これに限られるものではない。保険管理サーバ２００は、顧客Ｘと顧客Ｙとの端末に個別に条件を送信し、返信された内容に応じた条件を設定することも可能である。例えば、顧客Ｙは、自身の作製済みのｉＰＳ細胞の利用を、顧客Ｘに対して有償又は無償で許可することも可能である。この場合、第三の変更部１００１は、顧客Ｘの第一の条件及び第二の条件が満たされているものであるとの内容に顧客Ｘに対する条件を変更することができる。また、顧客Ｘ及びＹのいずれも第一の条件を満たしていない、すなわちｉＰＳ細胞の作製が開始されていなくても、例えば顧客Ｙの方が本システムに先に登録していた場合、顧客Ｙが優遇されるよう、顧客Ｘと顧客Ｙの積立条件が設定されるようにしてもよい。
【０１０６】
出金処理部１００２は、第一の顧客Ｘが第三の顧客Ｙの作製済みｉＰＳ細胞を利用できる場合において、第三の顧客Ｙが第二の条件を満たしているとき、第一の顧客Ｘの入金のうちの少なくとも一部を第三の顧客Ｙの口座に出金する処理を行う。顧客Ｙは、既に第二の条件を満たしており、自身の作製済みｉＰＳ細胞を利用することが可能な状態にある。このとき、ゲノム情報が似た顧客Ｘが、顧客ＹのｉＰＳ細胞を利用する場合には、顧客Ｙは既に積立が満了している。このため、顧客Ｘの積立のうちの少なくとも一部の額を、顧客Ｙの口座に出金する。つまり、使用料に相当する額を顧客Ｙの支払うことが可能である。この場合においても、第二の条件を適切に変更することで、例えば顧客Ｘの顧客Ｙに対する使用料を高く設定したり、使用料を低く設定するなど各種の形態を採用することができる。なお、顧客Ｙの口座は、顧客Ｙが指定する任意の口座とすることができる。
【０１０７】
［処理シーケンス］
図１１は、本実施形態における処理シーケンスの一例を示す図である。図１１は、所定のタイミングにおいて顧客Ｘと顧客Ｙとの細胞（体細胞、ｉＰＳ細胞、体細胞の採取に用いた血液、ｉＰＳ細胞の作製に用いた培養液を含む）の検査結果が一致したことが判明した場合の処理シーケンスの一例を示す図である。
【０１０８】
ステップＳ１１０１において保険管理サーバ２００は、顧客Ｘの細胞の検査の結果得られる情報と顧客Ｙの細胞の検査の結果得られる情報とが一致することを検出する。例えば、検査機関７０における検査の結果得られる情報を保険管理サーバ２００が取得し、その取得した情報を保険管理サーバ２００が比較することで、一致することを検出してもよい。あるいは、検査機関７０等の他の機関において検査の結果得られる情報が一致するか否かの判定が行われ、このような結果を保険管理サーバ２００が取得するような形態であってもよい。
【０１０９】
ステップＳ１１０２及びステップＳ１１０３において、保険管理サーバ２００は、一致することを示す情報を、顧客Ｘの顧客端末Ａと顧客Ｙの顧客端末Ｂとの両方に送信する。
【０１１０】
ステップＳ１１０４及びステップＳ１１０５においては、顧客端末Ａ及び顧客端末Ｂのそれぞれから、利用を希望する旨の情報が保険管理サーバ２００に送信される。なお、本実施形態においては、顧客Ｘ及び顧客Ｙの両者の同意があった場合に、利用が許可される形態を例に挙げて説明する。しかしながら、この例に限られるものではない。例えば、顧客Ｙが既に亡くなっている場合等のように、同意が得られないような場合であっても、所定の条件下において同意なしに利用する形態であってもよい。
【０１１１】
ステップＳ１１０６において保険管理サーバ２００は、利用可能な条件を変更する。すなわち、顧客Ｘ及び顧客Ｙの、第一の条件及び第二の条件のうちの少なくとも一方の条件を変更する。
【０１１２】
ステップＳ１１０７及びステップＳ１１０８において保険管理サーバ２００は、利用可能な条件を顧客端末Ａ及び顧客端末Ｂに送信する。利用可能な条件は、顧客Ｘと顧客Ｙとで異ならせることができる。
【０１１３】
ステップＳ１１０９及びステップＳ１１１０において、顧客端末Ａ及び顧客端末Ｂは、利用可能な条件において、額と期間とを決定し、ステップＳ１１１１及びステップＳ１１１２において、決定した額と期間とを含む情報を保険管理サーバ２００に送信する。
【０１１４】
ステップＳ１１１３において保険管理サーバ２００は、送信された情報に基づいて条件を更新する。
【０１１５】
ステップＳ１１１４において保険管理サーバ２００は、更新された条件に基づいて利用予定日を変更する。
【０１１６】
ステップＳ１１１５において保険管理サーバ２００は、変更された利用予定日をｉＰＳ管理サーバ３００に送信する。
【０１１７】
ステップＳ１１１６においてｉＰＳ管理サーバ３００は、送信された利用予定日を記録する。
【０１１８】
なお、顧客端末Ａ及びＢとの間の情報のやり取り等は、個別に行われるものであり、上述した順序と異なる順序で行われてもよい。その他の処理、例えば第二の条件が更新された後において、入金の累積が第二の条件を満たした場合に保険管理サーバ２００からｉＰＳ管理サーバ３００に利用依頼が送信される等のように、他の部分の処理に関しては、第１実施形態と同様の処理とすることができる。
【０１１９】
図１２は、本実施形態における処理シーケンスの一例を示す図である。図１２は、所定のタイミングにおいて顧客Ｘの体細胞等の検査結果と顧客Ｙの作製済みｉＰＳ細胞の検査結果とが一致することが判明した場合の処理シーケンスの一例を示す図である。
【０１２０】
ステップＳ１２０１において保険管理サーバ２００は、顧客Ｘの体細胞等の検査結果と顧客ＹのｉＰＳ細胞の検査結果とが一致することを検出する。例えば、検査機関７０における検査結果を保険管理サーバ２００が取得し、その取得した結果を保険管理サーバ２００が比較することで、一致することを検出してもよい。あるいは、検査機関７０等の他の機関において検査結果が一致するか否かの判定が行われ、このような結果を保険管理サーバ２００が取得するような形態であってもよい。
【０１２１】
ステップＳ１２０２及びステップＳ１２０３において、保険管理サーバ２００は、一致することを示す情報を、顧客Ｘの顧客端末Ａと顧客Ｙの顧客端末Ｂとの両方に送信する。
【０１２２】
ステップＳ１２０４において顧客Ｙの顧客端末Ｂは、顧客Ｙが自身の作製済みｉＰＳ細胞を顧客Ｘに提供することを許可する指示に基づいて、提供許可する旨の情報を保険管理サーバ２００に送信する。
【０１２３】
ステップＳ１２０５において顧客端末Ａは、利用を希望する旨の情報を保険管理サーバ２００に送信する。
【０１２４】
ステップＳ１２０６において保険管理サーバ２００は、利用可能な条件を変更する。例えば、顧客Ｘの第二の条件を変更する。ここで変更される額は、実質的には、顧客Ｙの口座に移管される額を含む額となる。
【０１２５】
ステップＳ１２０７及びステップＳ１２０８において保険管理サーバ２００は、利用可能な条件を顧客端末Ａ及び顧客端末Ｂに送信する。なお、顧客Ｙにおいては利用可能な条件は、自身のｉＰＳ細胞の提供を許可するための条件とすることができる。
【０１２６】
ステップＳ１２０９及びステップＳ１２１０において、顧客端末Ａ及び顧客端末Ｂは、利用可能な条件において、額と期間とを決定し、ステップＳ１２１１及びステップＳ１２１２において、決定した額と期間とを含む情報を保険管理サーバ２００に送信する。
【０１２７】
ステップＳ１２１３において保険管理サーバ２００は、送信された情報に基づいて条件を更新する。
【０１２８】
ステップＳ１２１４において保険管理サーバ２００は、顧客Ｘの積立のうちの少なくとも一部を顧客Ｙの口座に移管する処理を行う。移管する処理は、積立のタイミングと連動して行われてもよいし、別箇のタイミングで行われてもよい。
【０１２９】
ステップＳ１２１５において保険管理サーバ２００は、第二の条件が満たされた場合、顧客Ｘ用に顧客Ｙの作製済みｉＰＳ細胞の利用依頼をｉＰＳ管理サーバ３００に送信する。
【０１３０】
ステップＳ１２１６においてｉＰＳ管理サーバ３００は、顧客Ｘに対する、顧客Ｙの作製済みｉＰＳ細胞の利用許可を出力する。
なお、図１２に示す処理においては、保険管理サーバ２００が、顧客Ｙの作製済みｉＰＳ細胞を顧客Ｘが利用することが可能であることをそれぞれの顧客端末に送信する形態を例に挙げて説明したが、これに限られるものではない。例えば、自身の作製済みｉＰＳ細胞を、所定の条件下において（例えば所定額の支払いを条件にして）自由に提供する意思を表明する顧客Ｙのリスト等が公開されてもよい。そして、このような公開情報を基に、顧客Ｘが顧客Ｙ（あるいは保険管理サーバ２００）に対して利用希望の旨を送信する形態でもよい。このような公開情報を基に顧客ＹのｉＰＳ細胞が利用可能であることを顧客Ｘが把握する方法としては、任意の方法を採用することができる。例えば顧客ＸのｉＰＳ細胞の検査を行った検査機関７０の不図示のサーバが、顧客Ｘの検査結果に基づいて、顧客Ｙの作製済みｉＰＳ細胞を顧客Ｘが利用することが可能であることを顧客Ｘの顧客端末Ａに送信することで、顧客Ｘが把握する形態でもよい。また、顧客Ｘが、例えば医師等からの口頭の伝達等によって顧客ＹのｉＰＳ細胞が利用可能であることを把握してもよい。このように、予め支払額等の条件が定まっているような場合には、図１２の処理において、ステップＳ１２０５の処理の後にステップＳ１２１４以降の処理が続く形態を採用すればよく、他のステップを省略する形態を採用すればよい。
【０１３１】
以上説明したように、本実施形態の処理においては、ゲノム情報が一致する場合には、他人のｉＰＳ細胞を利用することが可能であるというｉＰＳ細胞の特殊性に鑑みた処理を行うことができる。すなわち、ゲノム情報が一致する顧客同士で共同して積立を行うことで、単独で積立を行う場合と比べて、ｉＰＳ細胞を利用するために必要な費用を低くすることができる。また、既に積立が満了してｉＰＳ細胞を利用することが可能な状態である顧客は、ゲノム情報が似た他の顧客に自身のｉＰＳ細胞を利用させ、その使用料に相当するような額を受け取ることも可能となる。
なお、本実施形態では、他人のｉＰＳ細胞を利用可能であるか否かを、ゲノム情報に基づいて判断する例を示したが、これに限られず、他の手法に基づいてｉＰＳ細胞の利用可能性を判断してもよい。例えば、ＨＬＡ（Human Leukocyte Antigen：ヒト白血球型抗原）の型を利用することができる。ＨＬＡは１５個あり、そのうち所定の一又は複数のＨＬＡの適合性を検査することで、他人のｉＰＳ細胞の利用可能性を判断してもよい。例えば、１５個のＨＬＡ型のうち３つの主要ＨＬＡを用いて適合性を検査することができる。
【０１３２】
［その他の実施形態］
上記で説明した実施形態においては、主にｉＰＳ細胞の作製や利用を例に挙げて説明したが、これに限られるものではない。本発明は、ｉＰＳ細胞の作製や利用のみならず、ｉＰＳ細胞に由来する細胞やその他の種々の細胞の作製や利用に適用したり、移植医療に適用したりすることができる。ｉＰＳ細胞に由来する細胞としては、例えば、ｉＰＳ細胞を分化誘導して得られる幹細胞、分化細胞、心筋細胞、肝細胞、神経細胞及び膵細胞等を含む細胞などが挙げられるが、これらに限られるものではない。
【０１３３】
また、第一の条件には、さらに複数のサブ条件が含まれてよい。例えば第一の条件に２つのサブ条件が含まれる場合、このサブ条件のことを第一のＡ条件及び第一のＢ条件という。そして、第一のＡ条件を満たした場合に、ｉＰＳ細胞の作製を開始し、第一のＡ条件よりも入金の累積の額が大きい又は入金の期間が長い第一のＢ条件を満たした場合に、このｉＰＳ細胞に分化誘導を行い分化細胞の作製を行う形態でもよい。その後、第一のＡ条件よりも入金の累積の額が大きい又は入金の期間が長い第二の条件を満たした場合に、この作製された分化細胞の利用を許可する形態でもよい。第一の条件を満たした場合に、上述したｉＰＳ細胞等のうちのどの細胞がｉＰＳ細胞作製所３０で作製されるかは、適宜変更可能であってよい。例えば利用機関８０で利用される態様に応じて任意に変更することができる。
【０１３４】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【０１３５】
以上説明した本発明の各実施形態を実現するためのプログラムは、記録媒体に記憶させてもよい。この記録媒体を用いれば、コンピュータに、上記プログラムをインストールすることができる。ここで、上記プログラムを記憶した記録媒体は、非一過性の記録媒体であっても良い。非一過性の記録媒体は特に限定されないが、例えば、ＣＤ−ＲＯＭ等の記録媒体であっても良い。
【符号の説明】
【０１３６】
１０…顧客、３０…細胞作製所、４０…採取機関、５０…体細胞等保管所、６０…細胞保管所、７０…検査機関、８０…利用機関、９０…ネットワーク、１００…顧客端末、１０１…入力部、１０２…表示部、１０３…通信部、２００…保険管理サーバ、２０１…受付部、２０２…作製依頼送信部、２０３…利用依頼送信部、２０４…第一の通知部、２０５…第一の変更部、２０６…第二の通知部、２０７…第二の変更部、２０８…入金状況送信部、２０９…第一の予定日送信部、２１０…移管処理部、２１１…返金処理部、３００…ｉＰＳ管理サーバ（細胞管理サーバ）、３０１…受信部、３０２…決定部、３０３…記録部、３０４…管理部、３０５…出力部、３０６…第四の変更部、３０７…第二の予定日送信部、３０８…第二の予定日送信部、１００１…第三の変更部、１００２…出金処理部
【図１】
0006539790.tif 000002
【図２】
0006539790.tif 000003
【図３】
0006539790.tif 000004
【図４】
0006539790.tif 000005
【図５】
0006539790.tif 000006
【図６】
0006539790.tif 000007
【図７】
0006539790.tif 000008
【図８】
0006539790.tif 000009
【図９】
0006539790.tif 000010
【図１０】
0006539790.tif 000011
【図１１】
0006539790.tif 000012
【図１２】
0006539790.tif 000013